(57)【特許請求の範囲】
【請求項１】
袋内側に山折り部を向けて二つ折りにされると共に、底部側に三角形状に折り込まれた三角フラップ部を備えた一対のサイドガゼットを介して、表側シートと裏側シートの両側部をそれぞれ連結し、前記表側シートの底部側と、前記裏側シートの底部側と、前記サイドガゼットの前記三角フラップ部とを、該三角フラップ部の折り込み形状に沿って二つ折りにされた底部シートで連結して形成され、内容物を収容した際に、表側シートと裏側シートとサイドガゼットと底部シートとが展開して自立可能となるサイドガゼット付き自立型包装袋の製造方法において、
前記サイドガゼット付き自立型包装袋の製造ラインは、サイドガゼット用シート製造ラインと、包装体製造ラインとを備え、
前記サイドガゼット用シート製造ラインは、非熱接着層を内側に、熱接着層を外側に向けて観音折りされた帯状のサイドガゼット用シートの底部側を三角形状に折り込み、対向する一対の三角形部を形成し、該三角形部の斜辺を観音折りの中心線に対してそれぞれ平行に配置するサイドガゼット用シート製造工程と、
該サイドガゼット用シート製造工程にて製造されたサイドガゼット用シートを検品するサイドガゼット用シート検品工程と、
不良品を除去する不良サイドガゼット用シート除去工程と、
不良品除去後のサイドガゼット用シートを、折り込まれた前記三角形部側を上面に向けて前記包装体製造ラインに順次送り出すサイドガゼット用シート送り出し工程とを備え、  前記包装体製造ラインは、前記表側シートと前記裏側シートのいずれか一方を形成する第１シート材を、熱接着層を上面に非熱接着層を下面に向けて製袋機に送り出す第１シート材送り出し工程と、
前記サイドガゼット用シート送り出し工程により送り出された前記サイドガゼット用シートを、前記第１シート材の上面に所定の間隔で順次載置して仮接着するサイドガゼット用シート載置工程と、
前記表側シートと前記裏側シートのいずれか他方を形成する第２シート材を、非熱接着層を上面に熱接着層を下面に向けて、前記サイドガゼット用シート載置工程で第１シート材の上面に載置された前記サイドガゼット用シートの袋上部側から、前記サイドガゼット用シートの観音折り部と前記一対の三角形部の袋上部側半体との間を通過させて該袋上部側半体の先端部に亘って前記サイドガゼット用シートを覆うように送り出して仮接着する第２シート材送り出し工程と、
該第２シート材送り出し工程後の前記サイドガゼット用シートの前記一対の三角形部の上面に、前記底部シートを形成する底部シート材を、熱接着層を下面に非熱接着層を上面に向けて送り出して仮接着する底部シート材送り出し工程と、
前記三角形部の袋上部側半体を袋下部側半体側に折り返すと同時に、前記三角形部の上面に仮接着された前記底部シート材の上半部を、下半部側に向けて二つ折りにする底部折り込み工程と、
二つ折りにされた前記三角形部及び前記底部シートと、前記第１シート材と前記第２シート材とをヒートシールして接合する底部接合工程と、
前記サイドガゼット用シートの観音折りされた中央部と、前記第１シート材と前記第２シート材とをヒートシールして接合する側部接合工程と、
該側部接合工程で形成された側部ヒートシール部の幅方向中央部を裁断する裁断工程とを備え、
前記サイドガゼット用シート送り出し工程は、前記サイドガゼット用シートを送り出し部材に収納し、該送り出し部材は、前記サイドガゼット用シートの下面と反三角形部側と両側部とを囲む枠体と、該枠体の上方に配置され、上下動及び前後動可能で、前記サイドガゼット用シートを吸着して、前記包装体製造ラインに１枚ずつ送り出す第１シリンダ部材と、前記サイドガゼット用シートの側部を整える第２シリンダ部材と、前記サイドガゼット用シートの三角形部側を整える第３シリンダ部材とを備え、前記枠体に収納された前記サイドガゼット用シートは、前記枠体の中で整えられた状態を維持しながら送り出されることを特徴とするサイドガゼット付き自立型包装袋の製造方法。
【請求項２】
袋内側に山折り部を向けて二つ折りにされると共に、底部側に三角形状に折り込まれた三角フラップ部を備えた一対のサイドガゼットを介して、表側シートと裏側シートの両側部をそれぞれ連結し、前記表側シートの底部側と、前記裏側シートの底部側と、前記サイドガゼットの前記三角フラップ部とを、該三角フラップ部の折り込み形状に沿って二つ折りにされた底部シートで連結して形成され、内容物を収容した際に、表側シートと裏側シートとサイドガゼットと底部シートとが展開して自立可能となるサイドガゼット付き自立型包装袋の製造方法において、
前記サイドガゼット付き自立型包装袋の製造ラインは、サイドガゼット用シート製造ラインと、底部シート製造ラインと、包装体製造ラインとを備え、
前記サイドガゼット用シート製造ラインは、非熱接着層を内側に、熱接着層を外側に向けて観音折りされた帯状のサイドガゼット用シートの底部側を三角形状に折り込み、対向する一対の三角形部を形成し、該三角形部の斜辺を観音折りの中心線に対してそれぞれ平行に配置するサイドガゼット用シート製造工程と、
該サイドガゼット用シート製造工程にて製造されたサイドガゼット用シートを検品するサイドガゼット用シート検品工程と、
不良品を除去する不良サイドガゼット用シート除去工程と、
不良品除去後のサイドガゼット用シートを、折り込まれた前記三角形部側を上面に向けて前記包装体製造ラインに順次送り出すサイドガゼット用シート送り出し工程とを備え、
前記底部シート製造ラインは、底部の寸法に合わせて裁断された底部シートを検品する底部シート検品工程と、
不良品を除去する不良底部シート除去工程と、
不良品除去後の底部シートを、非熱接着層を上面に熱接着層を下面に向けて前記包装体製造ラインに順次送り出す底部シート送り出し工程とを備え、
前記包装体製造ラインは、前記表側シートと前記裏側シートのいずれか一方を形成する第１シート材を、熱接着層を上面に非熱接着層を下面に向けて製袋機に送り出す第１シート材送り出し工程と、
前記サイドガゼット用シート送り出し工程により送り出された前記サイドガゼット用シートを、前記第１シート材の上面に所定の間隔で順次載置して仮接着するサイドガゼット用シート載置工程と、
前記表側シートと前記裏側シートのいずれか他方を形成する第２シート材を、非熱接着層を上面に熱接着層を下面に向けて、前記サイドガゼット用シート載置工程で第１シート材の上面に載置された前記サイドガゼット用シートの袋上部側から、前記サイドガゼット用シートの観音折り部と前記一対の三角形部の袋上部側半体との間を通過させて該袋上部側半体の先端部に亘って前記サイドガゼット用シートを覆うように送り出して仮接着する第２シート材送り出し工程と、
前記底部シート送り出し工程により送り出された前記底部シートを、前記サイドガゼット用シートの前記一対の三角形部の上面に載置して仮接着する底部シート載置工程と、
前記三角形部の袋上部側半体を袋下部側半体側に折り返すと同時に、前記三角形部の上面に仮接着された前記底部シートの上半部を、下半部側に向けて二つ折りにする底部折り込み工程と、
二つ折りされた前記三角形部及び前記底部シートと、前記第１シート材と前記第２シート材とを接合する底部接合工程と、
前記サイドガゼット用シートの観音折りされた中央部と、前記第１シート材と前記第２シート材とをヒートシールして接合する側部接合工程と、
該側部接合工程で形成された側部ヒートシール部の幅方向中央部を裁断する裁断工程とを備え、
前記サイドガゼット用シート送り出し工程は、前記サイドガゼット用シートを送り出し部材に収納し、該送り出し部材は、前記サイドガゼット用シートの下面と反三角形部側と両側部とを囲む枠体と、該枠体の上方に配置され、上下動及び前後動可能で、前記サイドガゼット用シートを吸着して、前記包装体製造ラインに１枚ずつ送り出す第１シリンダ部材と、前記サイドガゼット用シートの側部を整える第２シリンダ部材と、前記サイドガゼット用シートの三角形部側を整える第３シリンダ部材とを備え、前記枠体に収納された前記サイドガゼット用シートは、前記枠体の中で整えられた状態を維持しながら送り出されることを特徴とするサイドガゼット付き自立型包装袋の製造方法。
【発明の詳細な説明】
【技術分野】
【０００１】
本発明は、表側シートと裏側シートとサイドガゼットと底面シートとを備え、内容物を収納した際に、表側シートと裏側シートとサイドガゼットと底面シートとが展開して自立可能となるサイドガゼット付き自立型包装袋の製造方法に関する。
【背景技術】
【０００２】
従来、表側シートと裏側シートとサイドガゼットと底面シートとを備え、内容物を収納した際に、表側シートと裏側シートとサイドガゼットと底面シートとが展開して自立可能となるサイドガゼット付き自立型包装袋を製造する方法では、サイドガゼット用シート製造ラインと包装体製造ラインとを備えたものがあり、サイドガゼット用製造ラインでは、サイドガゼット用シート材が所定の長さに切断され、両側方が折り畳まれると共に、底部側に対向する一対の三角形部が形成され、サイドガゼット用シートが連続的に製造され、包装体製造ラインに供給されていた（例えば、特許文献１参照。）。
【先行技術文献】
【特許文献】
【０００３】
【特許文献１】特許第４４３６５２１号公報
【発明の概要】
【発明が解決しようとする課題】
【０００４】
しかし、上述の特許文献１のものでは、サイドガゼット用シート製造ラインで、サイドガゼット用シートを製造する際に不良品が発生した場合、不良品がそのまま包装体製造ラインに供給されてしまうことから、そのまま、不良品となる包装体が形成されていた。また、サイドガゼット用シートは、両サイドにそれぞれ表側シートと裏側シートとが接合され、１枚のサイドガゼット用シートが、２個分の包装体のサイドガゼットとなることから、１枚の不良品のサイドガゼット用シートにより、２個の包装体が不良品となり、コストが嵩んでいた。
【０００５】
さらに、サイドガゼット用シートはサイドガゼット用シート製造ラインで連続して製造されながら、包装体製造ラインに供給されることから、サイドガゼット用シート製造ラインの製造スピードに合わせて、包装体製造ラインの製造スピードを調整しなければならないことから手間が掛かり、また、包装体製造ラインの製造スピードを上げることができなかった。
【０００６】
そこで本発明は、不良品のサイドガゼット用シートが包装体製造ラインに供給されることを防止し、製造コストの削減化を図ることができるサイドガゼット付き自立型包装袋の製造方法を提供することを目的としている。
【課題を解決するための手段】
【０００７】
上記目的を達成するため、本発明のサイドガゼット付き自立型包装袋の製造方法は、袋内側に山折り部を向けて二つ折りにされると共に、底部側に三角形状に折り込まれた三角フラップ部を備えた一対のサイドガゼットを介して、表側シートと裏側シートの両側部をそれぞれ連結し、前記表側シートの底部側と、前記裏側シートの底部側と、前記サイドガゼットの前記三角フラップ部とを、該三角フラップ部の折り込み形状に沿って二つ折りにされた底部シートで連結して形成され、内容物を収容した際に、表側シートと裏側シートとサイドガゼットと底部シートとが展開して自立可能となるサイドガゼット付き自立型包装袋の製造方法において、前記サイドガゼット付き自立型包装袋の製造ラインは、サイドガゼット用シート製造ラインと、包装体製造ラインとを備え、前記サイドガゼット用シート製造ラインは、非熱接着層を内側に、熱接着層を外側に向けて観音折りされた帯状のサイドガゼット用シートの底部側を三角形状に折り込み、対向する一対の三角形部を形成し、該三角形部の斜辺を観音折りの中心線に対してそれぞれ平行に配置するサイドガゼット用シート製造工程と、サイドガゼット用シート製造工程にて製造されたサイドガゼット用シートを検品するサイドガゼット用シート検品工程と、不良品を除去する不良サイドガゼット用シート除去工程と、不良品除去後のサイドガゼット用シートを、折り込まれた前記三角形部側を上面に向けて前記包装体製造ラインに順次送り出すサイドガゼット用シート送り出し工程とを備え、前記包装体製造ラインは、前記表側シートと前記裏側シートのいずれか一方を形成する第１シート材を、熱接着層を上面に非熱接着層を下面に向けて製袋機に送り出す第１シート材送り出し工程と、前記サイドガゼット用シート送り出し工程により送り出された前記サイドガゼット用シートを、前記第１シート材の上面に所定の間隔で順次載置して仮接着するサイドガゼット用シート載置工程と、前記表側シートと前記裏側シートのいずれか他方を形成する第２シート材を、非熱接着層を上面に熱接着層を下面に向けて、前記サイドガゼット用シート載置工程で第１シート材の上面に載置された前記サイドガゼット用シートの袋上部側から、前記サイドガゼット用シートの観音折り部と前記一対の三角形部の袋上部側半体との間を通過させて該袋上部側半体の先端部に亘って前記サイドガゼット用シートを覆うように送り出して仮接着する第２シート材送り出し工程と、該第２シート材送り出し工程後の前記サイドガゼット用シートの前記一対の三角形部の上面に、前記底部シートを形成する底部シート材を、熱接着層を下面に非熱接着層を上面に向けて送り出して仮接着する底部シート材送り出し工程と、前記三角形部の袋上部側半体を袋下部側半体側に折り返すと同時に、前記三角形部の上面に仮接着された前記底部シート材の上半部を、下半部側に向けて二つ折りにする底部折り込み工程と、二つ折りにされた前記三角形部及び前記底部シートと、前記第１シート材と前記第２シート材とをヒートシールして接合する底部接合工程と、前記サイドガゼット用シートの観音折りされた中央部と、前記第１シート材と前記第２シート材とをヒートシールして接合する側部接合工程と、該側部接合工程で形成された側部ヒートシール部の幅方向中央部を裁断する裁断工程とを備え、前記サイドガゼット用シート送り出し工程は、前記サイドガゼット用シートを送り出し部材に収納し、該送り出し部材は、前記サイドガゼット用シートの下面と反三角形部側と両側部とを囲む枠体と、該枠体の上方に配置され、上下動及び前後動可能で、前記サイドガゼット用シートを吸着して、前記包装体製造ラインに１枚ずつ送り出す第１シリンダ部材と、前記サイドガゼット用シートの側部を整える第２シリンダ部材と、前記サイドガゼット用シートの三角形部側を整える第３シリンダ部材とを備え、前記枠体に収納された前記サイドガゼット用シートは、前記枠体の中で整えられた状態を維持しながら送り出されることを特徴としている。
【０００９】
さらに、袋内側に山折り部を向けて二つ折りにされると共に、底部側に三角形状に折り込まれた三角フラップ部を備えた一対のサイドガゼットを介して、表側シートと裏側シートの両側部をそれぞれ連結し、前記表側シートの底部側と、前記裏側シートの底部側と、前記サイドガゼットの前記三角フラップ部とを、該三角フラップ部の折り込み形状に沿って二つ折りにされた底部シートで連結して形成され、内容物を収容した際に、表側シートと裏側シートとサイドガゼットと底部シートとが展開して自立可能となるサイドガゼット付き自立型包装袋の製造方法において、前記サイドガゼット付き自立型包装袋の製造ラインは、サイドガゼット用シート製造ラインと、底部シート製造ラインと、包装体製造ラインとを備え、前記サイドガゼット用シート製造ラインは、非熱接着層を内側に、熱接着層を外側に向けて観音折りされた帯状のサイドガゼット用シートの底部側を三角形状に折り込み、対向する一対の三角形部を形成し、該三角形部の斜辺を観音折りの中心線に対してそれぞれ平行に配置するサイドガゼット用シート製造工程と、該サイドガゼット用シート製造工程にて製造されたサイドガゼット用シートを検品するサイドガゼット用シート検品工程と、不良品を除去する不良サイドガゼット用シート除去工程と、不良品除去後のサイドガゼット用シートを、折り込まれた前記三角形部側を上面に向けて前記包装体製造ラインに順次送り出すサイドガゼット用シート送り出し工程とを備え、前記底部シート製造ラインは、底部の寸法に合わせて裁断された前記底部シートを検品する底部シート検品工程と、不良品を除去する不良底部シート除去工程と、不良品除去後の前記底部シートを、非熱接着層を上面に熱接着層を下面に向けて前記包装体製造ラインに順次送り出す底部シート送り出し工程とを備え、前記包装体製造ラインは、前記表側シートと前記裏側シートのいずれか一方を形成する第１シート材を、熱接着層を上面に非熱接着層を下面に向けて製袋機に送り出す第１シート材送り出し工程と、前記サイドガゼット用シート送り出し工程により送り出された前記サイドガゼット用シートを、前記第１シート材の上面に所定の間隔で順次載置して仮接着するサイドガゼット用シート載置工程と、前記表側シートと前記裏側シートのいずれか他方を形成する第２シート材を、非熱接着層を上面に熱接着層を下面に向けて、前記サイドガゼット用シート載置工程で第１シート材の上面に載置された前記サイドガゼット用シートの袋上部側から、前記サイドガゼット用シートの観音折り部と前記一対の三角形部の袋上部側半体との間を通過させて該袋上部側半体の先端部に亘って前記サイドガゼット用シートを覆うように送り出して仮接着する第２シート材送り出し工程と、前記底部シート送り出し工程により送り出された前記底部シートを、前記サイドガゼット用シートの前記一対の三角形部の上面に載置して仮接着する底部シート載置工程と、前記三角形部の袋上部側半体を袋下部側半体側に折り返すと同時に、前記三角形部の上面に仮接着された前記底部シートの上半部を、下半部側に向けて二つ折りにする底部折り込み工程と、二つ折りされた前記三角形部及び前記底部シートと、前記第１シート材と前記第２シート材とを接合する底部接合工程と、前記サイドガゼット用シートの観音折りされた中央部と、前記第１シート材と前記第２シート材とをヒートシールして接合する側部接合工程と、該側部接合工程で形成された側部ヒートシール部の幅方向中央部を裁断する裁断工程とを備え、前記サイドガゼット用シート送り出し工程は、前記サイドガゼット用シートを送り出し部材に収納し、該送り出し部材は、前記サイドガゼット用シートの下面と反三角形部側と両側部とを囲む枠体と、該枠体の上方に配置され、上下動及び前後動可能で、前記サイドガゼット用シートを吸着して、前記包装体製造ラインに１枚ずつ送り出す第１シリンダ部材と、前記サイドガゼット用シートの側部を整える第２シリンダ部材と、前記サイドガゼット用シートの三角形部側を整える第３シリンダ部材とを備え、前記枠体に収納された前記サイドガゼット用シートは、前記枠体の中で整えられた状態を維持しながら送り出されることを特徴としている。
【発明の効果】
【００１１】
本発明のサイドガゼット付き自立型包装袋の製造方法によれば、サイドガゼット用シート製造ラインは、サイドガゼット用シートを製造するサイドガゼット用シート製造工程と、製造されたサイドガゼット用シートを検品するサイドガゼット用シート検品工程と、不良品を除去する不良サイドガゼット用シート除去工程と、不良品除去後のサイドガゼット用シートを、包装体製造ラインに順次送り出すサイドガゼット用シート送り出し工程とを備えていることから、常に適正なサイドガゼット用シートを包装体製造ラインに送り出すことができ、製造時の歩留まりを上げてコストの削減化を図ることができる。
【００１２】
また、ストックされた適正なサイドガゼット用シートのみが、包装体製造ラインに供給されることから、包装体製造ラインの検品項目を減少させることができる。さらに、従来のように、サイドガゼット用シート製造ラインの製造スピードに合わせて、包装体製造ラインの製造スピードを調整する必要がなく、包装体製造ラインの製造スピードを上げることができ、スピード調整の手間も掛からない。
【００１３】
さらに、サイドガゼット用シート製造ラインと包装体製造ラインの他に、底部シート製造ラインを設け、該底部シート製造ラインは、底部の寸法に合わせて裁断された底部シートを検品する底部シート検品工程と、不良品を除去する不良底部シート除去工程と、不良品除去後の底部シートを包装体製造ラインに順次送り出す底部シート送り出し工程とを備えていることから、常に適正な底部シートを包装体製造ラインに送り出すことができ、製造時の歩留まりを上げてコストの削減化を図ることができる。また、不良品除去後の底部シートを、包装体製造ラインに一枚ずつ送り出してサイドガゼット用シートの一対の三角形部の上面に載置することから、表側シートと裏側シートと底部シートとに亘って装飾を施す場合に、底部シートと、表側シート及び裏側シートの模様合わせを容易に行うことができる。
【図面の簡単な説明】
【００１４】
【図１】本発明の第１形態例を示すサイドガゼット付き自立型包装袋の製造ラインの概略図である。
【図２】同じくサイドガゼット用シート製造ラインの概略図である。
【図３】同じくサイドガゼット用シートの正面図である。
【図４】同じくサイドガゼット用シート送り出し工程の説明図である。
【図５】同じく第２シート材送り出し工程の説明図である。
【図６】同じく第２シート材送り出し工程の際のシート材の断面説明図である。
【図７】同じく底部折り込み工程の際のシート材の断面説明図である。
【図８】サイドガゼット付き自立型包装袋の正面図である。
【図９】本発明の第２形態例を示すサイドガゼット付き自立型包装袋の製造ラインの概略図である。
【図１０】同じくサイドガゼット用シートの観音折り部と三角形部の袋上部側半体との間に融着防止素材を介装させた状態の説明図である。
【図１１】同じくサイドガゼット用シートの観音折り部と三角形部の袋上部側半体との間に融着防止素材を介装させた際のシート材の断面説明図である。
【図１２】本発明の第３形態例を示すサイドガゼット付き自立型包装袋の製造ラインの概略図である。
【図１３】同じく底部シート製造ラインの概略図である。
【図１４】同じく底部シート送り出し工程の説明図である。
【図１５】本発明の第４形態例を示すサイドガゼット付き自立型包装袋の製造ラインの概略図である。
【発明を実施するための形態】
【００１５】
図１乃至図８は、本発明のサイドガゼット付き自立型包装袋の製造方法の第１形態例を示す図で、サイドガゼット付き自立型包装袋の製造ラインは、サイドガゼット用シート製造ライン１０と、包装体製造ライン２０とを備えている。
【００１６】
サイドガゼット用シート製造ライン１０では、図２に示すように、まず、サイドガゼット用シート製造工程１１で、非熱接着層を内側に、熱接着層を外側に向けて観音折りされた帯状のシート材を所定の長さに裁断し、袋底面側となる一端側を三角形状に折り込み、観音折り部１ａ，１ａの上部に、対向する一対の三角形部１ｂ，１ｂを形成し、該三角形部１ｂ，１ｂの斜辺１ｃ，１ｃを観音折り部の中心線ＣＬ１に対してそれぞれ平行に配置して、図３に示されるようなサイドガゼット用シート１を連続的に製造する。
【００１７】
次いで、図２及び図３に示すように、サイドガゼット用シート１は、サイドガゼット用シート検品工程１２により検品された後、不良サイドガゼット用シート除去工程１３により不良品が除去され、サイドガゼット用シート送り出し工程１４により、包装体製造ライン２０に順次送り出される。
【００１８】
サイドガゼット用シート送り出し工程１４では、まず、不良品除去後のサイドガゼット用シート１が、折り込まれた三角形部１ｂ側を上面に向けて送り出し部材１４ａに収納される。送り出し部材１４ａは、図２及び図４に示されるように、サイドガゼット用シート１の下面と袋底面側と両側部とを囲む枠体１４ｂと、枠体１４ｂの上方に配置され、上下動及び前後動可能で、サイドガゼット用シート１を吸着して、包装体製造ライン２０に１枚ずつ送り出す第１シリンダ部材１４ｃと、枠体１４ｂの側部に配置され、サイドガゼット用シート１の側部を整える第２シリンダ部材１４ｄと、枠体１４ｂの側部に配置されサイドガゼット用シート１の三角形部１ｂ側を整える第３シリンダ部材１４ｅとを備えていて、ストックされたサイドガゼット用シート１は、枠体１４ｂの中で整えられた状態を維持しながら、１枚ずつ包装体製造ライン２０に送り出される。
【００１９】
包装体製造ライン２０では、図１に示されるように、まず、第１シート材送り出し工程２１によって、裏側シート２（本発明の第１シート材）を、熱接着層を上面に非熱接着層を下面に向けて製袋機に送り出す。次いで、サイドガゼット用シート載置工程２２によって、第１シート材送り出し工程２１で送り出された裏側シート２の上面に、サイドガゼット用シート製造ライン１０で製造されたサイドガゼット用シート１を、サイドガゼット用シート送り出し工程１４により、所定の間隔で順次載置して、第１縦シールバー２２ａによって仮接着する。
【００２０】
次に、第２シート材送り出し工程２３によって、表側シート３（本発明の第２シート材）を、非熱接着層を上面に熱接着層を下面に向けて、サイドガゼット用シート載置工程２２で、裏側シート２の上面に載置されたサイドガゼット用シート１の袋上部側から、図１，図５に示されるように、サイドガゼット用シート１の観音折り部１ａ，１ａと一対の三角形部１ｂ，１ｂの袋上部側半体１ｄ，１ｄとの間を通過させて袋上部側半体１ｄ，１ｄの先端部に亘ってサイドガゼット用シート１を覆うように送り出して、第２縦シールバー２３ａによって仮接着する。この仮接着の際、観音折り部１ａ，１ａと一対の三角形部１ｂ，１ｂの袋上部側半体１ｄ，１ｄとの間を通過する表側シート３は、非熱接着層となる上面同士が向き合うように折り返されて、ヒートシールされることから、折り返された表側シート３同士が接合される虞がない。
【００２１】
次に、図１及び図６に示されるように、底部シート材送り出し工程２４によって、第２シート材送り出し工程後のサイドガゼット用シート１の一対の三角形部１ｂ，１ｂの上面に、底部シート材４を、熱接着層を下面に非熱接着層を上面に向けて送り出し、第３縦シールバー２４ａによって仮接着する。次いで、図１及び図７に示されるように、底部折り込み工程２５により、折返しガイド部材２５ａを介して、三角形部１ｂ，１ｂの袋上部側半体１ｄ，１ｄを袋下部側半体側に折り返すと同時に、三角形部１ｂ，１ｂの上面に仮接着された底部シート材４の上半部を、下半部側に向けて二つ折りにし、折返し押えロール２５ｂにより成形する。
【００２２】
次いで、底部接合工程２６により、表側シート３と、二つ折りにされた三角形部１ｂ，１ｂ及び底部シート材４と、裏側シート２とを横シールバー２６ａによってヒートシールして接合し、さらに、側部接合工程２７により、サイドガゼット用シート１の観音折り部１ａ，１ａの中央部と、表側シート３と裏側シート２とを第４縦シールバー２７ａによってヒートシールして接合する。次いで、裁断工程２８により、側部接合工程２７で形成された側部ヒートシール部２８ａの幅方向中央部をトリミング処理しながら裁断し、図８に示されるようなサイドガゼット付き自立型包装袋５が形成される。
【００２３】
このようにして製造されたサイドガゼット付き自立型包装袋５は、裁断工程２８でサイドガゼット用シート１を観音折り部の中心線ＣＬ１で切断することにより形成されたサイドガゼット１ｅ，１ｅを介して、表側シート３と裏側シート２の両側部が接合される。サイドガゼット１ｅは、袋内側に山折り部１ｆを向けて二つ折りにされた状態で配置され、底部側には、三角形部１ｂにより形成される三角フラップ部１ｇが配置される。表側シート３と裏側シート２の底部側には、底部接合工程２６によって三角フラップ部１ｇ，１ｇに接合された底部シート材４を、裁断工程２８で裁断することにより形成された底部シート６が山折り部６ａを袋内側に向けた二つ折りの状態で接合される。これにより、袋内に内容物を収容した際に、表側シート３と裏側シート２とサイドガゼット１ｅ，１ｅと底部シート６とがそれぞれ展開して、自立可能となる。
【００２４】
本形態例のサイドガゼット付き自立型包装袋の製造方法では、上述のように、サイドガゼット付き自立型包装袋の製造ラインは、サイドガゼット用シート製造ライン１０と、包装体製造ライン２０とを備え、サイドガゼット用シート１は、サイドガゼット用シート製造ライン１０で製造され、検品された後に、適正なサイドガゼット用シート１のみが包装体製造ライン２０に送り出されることから、製造時の歩留まりを上げてコストの削減化を図ることができ、また、包装体製造ライン２０の検品項目を減少させることができる。
【００２５】
さらに、従来のように、サイドガゼット用シート製造ライン１０の製造スピードに合わせて、包装体製造ライン２０の製造スピードを調整する必要がなく、包装体製造ライン２０の製造スピードを上げることができると共に、スピード調整の手間も掛からない。
【００２６】
図９乃至図１５は、本発明の他の形態例を示すもので、第１形態例と同様の構成要素を示すものには、同一の符号をそれぞれ付して、その詳細な説明は省略する。
【００２７】
図９乃至図１１は、本発明の第２形態例を示すもので、本形態例の包装体製造ライン２０では、まず、第１形態例と同様に、第１シート材送り出し工程２１とサイドガゼット用シート載置工程２２とが行われた後に、底部シート材送り出し工程２４によって、サイドガゼット用シート載置工程２２で送り出されたサイドガゼット用シート１の一対の三角形部１ｂ，１ｂの上面に、底部シート材４を、熱接着層を下面に非熱接着層を上面に向けて送り出し、第２縦シールバー２４ｂによって仮接着する。
【００２８】
この仮接着の際に、図１０及び図１１に示されるように、サイドガゼット用シート１は、熱接着層を外側に向けて観音折りされていることから、観音折り部１ａ，１ａと三角形部１ｂ，１ｂの袋上部側半体１ｄ，１ｄとが接合されることを防止するために、観音折り部１ａ，１ａと三角形部１ｂ，１ｂの袋上部側半体１ｄ，１ｄとの間に融着防止素材２４ｃを介装する。
【００２９】
次いで底部折り込み工程２５が行われ、次に、第２シート材送り出し工程２３によって、三角形部１ｂと底部シート６とが二つ折りにされた状態のサイドガゼット用シート１と、裏側シート２の上部に、表側シート３が送り出されて第３縦シールバー２３ｂによって仮接着された後、第１形態例と同様に、底部接合工程２６，側部接合工程２７及び裁断工程２８が行われ、サイドガゼット付き自立型包装袋５が形成される。
【００３０】
図１２乃至図１４は、本発明の第３形態例を示すもので、本形態例のサイドガゼット付き自立型包装袋の製造ラインは、サイドガゼット用シート製造ライン１０と、底部シート製造ライン３０と、包装体製造ライン２０とを備えている。
【００３１】
底部シート製造ライン３０は、図１３及び図１４に示されるように、底部シート検品工程３１により、底部の寸法に合わせて裁断された底部シート６が検品された後、不良底部シート除去工程３２により、不良品が除去され、次いで、底部シート送り出し工程３３により、底部シート６が包装体製造ライン２０に順次送り出される。
【００３２】
底部シート送り出し工程３３は、まず、不良品除去後の底部シート６が、非熱接着層を上面に熱接着層を下面に向けて、送り出し部材３３ａに収納される。送り出し部材３３ａは、図１４に示されるように、底部シート６下面と袋底面側と四方とを囲む枠体３３ｂと、枠体３３ｂの上方に配置され、上下動及び前後動可能で、底部シート６を吸着して、包装体製造ライン２０に送り出すシリンダ部材３３ｃとを備えていて、ストックされた底部シート６は、シリンダ部材３３ｃによって１枚ずつ包装体製造ライン２０に送り出される。
【００３３】
本形態例の包装体製造ライン２０では、第１形態例と同様に、第１シート材送り出し工程２１，第２シート材送り出し工程２３が行われた後、底部シート材送り出し工程２４によって、第２シート材送り出し工程後のサイドガゼット用シート１の一対の三角形部１ｂ，１ｂの上面に、底部シート製造ライン３０で製造された底部シート６を、底部シート送り出し工程３３により、熱接着層を下面に非熱接着層を上面に向けて送り出し、第３縦シールバー２４ａによって仮接着する。次いで、第１形態例と同様に、底部折り込み工程２５，底部接合工程２６，側部接合工程２７，裁断工程２８が行われ、サイドガゼット付き自立型包装袋５が形成される。
【００３４】
本形態例では、包装体製造ライン２０は、サイドガゼット用シート製造ライン１０と、底部シート製造ライン３０と、包装体製造ライン２０とを備えていることから、サイドガゼット用シート１が、サイドガゼット用シート製造ライン１０で製造され検品された後に、適正なサイドガゼット用シート１のみが包装体製造ライン２０に送り出されることに加え、底部シート６が、底部シート製造ライン３０で製造され検品された後に、適正な底部シート６のみが包装体製造ライン２０に送り出されることから、製造時の歩留まりを上げてコストの削減化を図ることができ、また、包装体製造ライン２０の検品項目を減少させることができる。さらに、表側シート３と裏側シート２と底部シート６とに亘って装飾を施す場合に、底部シート６と、表側シート３及び裏側シート２との模様合わせを容易に行うことができる。
【００３５】
図１５は、本発明の第４形態例を示すもので、本形態例も第３形態例と同様に、サイドガゼット付き自立型包装袋の製造ラインは、サイドガゼット用シート製造ライン１０と、底部シート製造ライン３０と、包装体製造ライン２０とを備えている。
【００３６】
包装体製造ライン２０では、まず、第１形態例と同様に、第１シート材送り出し工程２１とサイドガゼット用シート送り出し工程１４とが行われた後に、底部シート材送り出し工程２４によって、サイドガゼット用シート１の一対の三角形部１ｂ，１ｂの上面に、底部シート製造ライン３０で製造された底部シート６を、底部シート送り出し工程３３により、熱接着層を下面に非熱接着層を上面に向けて送り出し、第２縦シールバー２４ｂによって仮接着する。この仮接着の際に、第２形態例と同様に、サイドガゼット用シート１の観音折り部１ａ，１ａと三角形部１ｂ，１ｂの袋上部側半体１ｄ，１ｄとが接合されることを防止するために、観音折り部１ａ，１ａと三角形部１ｂ，１ｂの袋上部側半体１ｄ，１ｄとの間に融着防止素材２４ｃを介装する。
【００３７】
次いで、第２形態例と同様に、底部折り込み工程２５，第２シート材送り出し工程２３，底部接合工程２６，側部接合工程２７及び裁断工程２８が順に行われ、サイドガゼット付き自立型包装袋５が形成される。
【００３８】
尚、本発明は、上述の各形態例に限るものではなく、表側シートと裏側シートの袋開口部側に、互いに咬合するチャック部を備えたものを使用し、チャック付きのサイドガゼット付き自立型包装袋を製造することもできる。また、表側シートや裏側シートや底部シート及びサイドガゼットに適宜装飾部を設けることもできる。
【符号の説明】
【００３９】
１…サイドガゼット用シート、１ａ…観音折り部、１ｂ…三角形部、１ｃ…斜辺、１ｄ…袋上部側半体、１ｅ…サイドガゼット、１ｆ…山折り部、１ｇ…三角フラップ部、２…裏側シート、３…表側シート、４…底部シート材、５…サイドガゼット付き自立型包装体、６…底部シート、６ａ…山折り部、１０…サイドガゼット用シート製造ライン、１１…サイドガゼット用シート製造工程、１２…サイドガゼット用シート検品工程、１３…不良サイドガゼット用シート除去工程、１４…サイドガゼット用シート送り出し工程、１４ａ…送り出し部材、１４ｂ…枠体、１４ｃ…第１シリンダ部材、１４ｄ…第２シリンダ部材、１４ｅ…第３シリンダ部材、２０…包装体製造ライン、２１…第１シート送り出し工程、２２…サイドガゼット用シート載置工程、２２ａ…第１縦シールバー、２３…第２シート材送り出し工程、２３ａ…第２縦シールバー、２３ｂ…第３縦シールバー、２４…底部シート材送り出し工程、２４ａ…第３縦シールバー、２４ｂ…第２縦シールバー、２４ｃ…融着防止素材、２５…底部折り込み工程、２５ａ…折返しガイド部材、２５ｂ…折返し押えロール、２６…底部接合工程、２６ａ…横シールバー、２７…側部接合工程、２７ａ…第４縦シールバー、２８…裁断工程、２８ａ…側部ヒートシール部、３０…底部シート製造ライン、３１…底部シート検品工程、３２…不良底部シート除去工程、３３…底部シート送り出し工程、３３ａ…送り出し部材、３３ｂ…枠体、３３ｃ…シリンダ部材 
【図１】
0005969451.tif 000002
【図２】
0005969451.tif 000003
【図３】
0005969451.tif 000004
【図４】
0005969451.tif 000005
【図５】
0005969451.tif 000006
【図６】
0005969451.tif 000007
【図７】
0005969451.tif 000008
【図８】
0005969451.tif 000009
【図９】
0005969451.tif 000010
【図１０】
0005969451.tif 000011
【図１１】
0005969451.tif 000012
【図１２】
0005969451.tif 000013
【図１３】
0005969451.tif 000014
【図１４】
0005969451.tif 000015
【図１５】
0005969451.tif 000016